(57)【要約】【課題】簡易な操作により所定の機能の実行と停止とを切替える。【解決手段】デジタルカメラ１０は撮像素子１２、ＤＳＰ１５、ジャイロセンサ１９、防振機構２０、バックライト２３、およびバックライト駆動回路２４を有する。デジタルカメラ１０は防振機能と省エネ機能とを有する。防振機能がＯＮのときジャイロセンサ１９の検出する速度に基づいて、防振機構２０は撮像素子１２の光軸のズレを補正する。省エネ機能がＯＮのときバックライト駆動回路２４はバックライトの出射光量を低下させる。ＤＳＰ１５はデジタルカメラ１０の縦方向および横方向の移動速度が閾値Ｖ１を超えているか判別する。縦方向の移動速度が閾値Ｖ１を超えているときに防振機能のＯＮ／ＯＦＦを切替える。横方向の移動速度が閾値Ｖ１を超えているときに省エネ機能のＯＮ／ＯＦＦを切替える。【選択図】図１
2009063721.tif 000002
【特許請求の範囲】
【請求項１】
第１の方向への振れを検出する第１の検出部と、
前記第１の方向と異なる第２の方向の振れを検出する第２の検出部と、
前記第１、第２の検出部により検出された前記第１、第２の方向の振れの組合わせに応じて、第１の機能または前記第１の機能と異なる第２の機能の実行または停止を切替える制御部とを備える
ことを特徴とする撮影機能付き携帯機器。
【請求項２】
第１の方向への振れを検出する第１の検出部と、
前記第１の方向と異なる第２の方向の振れを検出する第２の検出部と、
前記第１の検出部が前記第１の方向の振れを検出するときに第１の機能の実行または停止を切替え、前記第２の検出部が前記第２の方向の振れを検出するときに前記第１の機能と異なる第２の機能の実行または停止を切替える制御部とを備える
ことを特徴とする撮影機能付き携帯機器。
【請求項３】
第１の方向への振れを検出する第１の検出部と、
前記第１の方向と異なる第２の方向の振れを検出する第２の検出部と、
前記第１の検出部が前記第１の方向の振れを検出するときに第１の機能を実行させ、前記第２の検出部が前記第２の方向の振れを検出するときに前記第１の機能を停止させる制御部とを備える
ことを特徴とする撮影機能付き携帯機器。
【請求項４】
前記制御部による前記第１の機能の実行と停止の切替は、トグル動作であることを特徴とする請求項１または請求項２に記載の撮影機能付き携帯機器。
【請求項５】
前記第１、第２の検出部により検出された前記第１、第２の方向の振れが手振れであるか否かを判別する判別部を備え、
前記制御部は、前記判別部が前記第１、第２の方向の振れが手振れ以外の振れであると判別するときに前記第１の機能の切替えを行なう
ことを特徴とする請求項２または請求項３に記載の撮影機能付き携帯機器。
【請求項６】
前記第１、第２の検出部は、それぞれ前記第１、第２の方向の移動速度を検出し、
前記判別部は、前記第１、第２の移動速度が閾値を超えるときに前記第１、第２の方向の振れが手振れ以外の振れであると判別する
ことを特徴とする請求項５に記載の撮影機能付き携帯機器。
【請求項７】
前記撮影機能付き携帯機器が有する複数の機能の中から、前記第１の機能が設定可能であることを特徴とする請求項１〜請求項５のいずれか１項に記載の撮影機能付き携帯機器。
【請求項８】
前記第１の検出部は、所定の間隔で連続的に撮像する撮像素子と、前記撮像素子に撮像される画像全体の中の一部の画像である部分画像の連続する２つの画像間における移動方向と移動距離とを検出する移動距離検出部とを有し、前記移動方向と前記移動距離とに基づいて前記第１の移動速度を検出することを特徴とする請求項１〜請求項６に記載の撮影機能付き携帯機器。
【発明の詳細な説明】
【技術分野】
【０００１】
本発明は、デジタルカメラやカメラ付き携帯電話などのような所定の機能を有する撮影機能付き携帯機器に関する。
【背景技術】
【０００２】
防振機能などの所定の機能を有するカメラやビデオカメラが知られている。このような機能の実行と停止とは、入力用のボタン操作または設定入力により切替えられていた。使用者にとって、このようなマニュアル操作は煩雑であり、より簡単に機能の切替を行なえることが望まれていた。
【０００３】
ところで、使用者が観察面を覗き込んでいることを検知することにより、防振機能を実行させる補正装置が提案されている（特許文献１参照）。しかしこのような自動切替は観察面を覗き込まなければ実行させることが出来ない。それゆえ、例えば、近年のスチルカメラやビデオカメラのように、ファインダ以外のモニタに撮影する画像が表示される場合には必ずしもファインダを覗き込むことが無く、提案された考案を効果的に機能させることが出来なかった。また、観察面を覗き込むこと無く実行させることが望まれる機能に対して適用することが出来ない事も問題である。
【特許文献１】特開平９−１２７５７２号公報
【発明の開示】
【発明が解決しようとする課題】
【０００４】
したがって、本発明では、煩雑な操作をすること無く、所定の機能の実行と停止とを切替ることが可能な撮影機能付き携帯機器の提供を目的とする。
【課題を解決するための手段】
【０００５】
本発明の第１の撮影機能付き携帯機器は、第１の方向への振れを検出する第１の検出部と、第１の方向と異なる第２の方向の振れを検出する第２の検出部と、第１、第２の検出部により検出された第１、第２の方向の振れの組合わせに応じて第１の機能または第１の機能と異なる第２の機能の実行または停止を切替える制御部とを備えることを特徴としている。
【０００６】
本発明の第２の撮影機能付き携帯機器は、第１の方向への振れを検出する第１の検出部と、第１の方向と異なる第２の方向の振れを検出する第２の検出部と、第１の検出部が第１の方向の振れを検出するときに第１の機能の実行または停止を切替え第２の検出部が第２の方向の振れを検出するときに第１の機能と異なる第２の機能の実行または停止を切替える制御部とを備えることを特徴としている。
【０００７】
本発明の第３の撮影機能付き携帯機器は、第１の方向への振れを検出する第１の検出部と、第１の方向と異なる第２の方向の振れを検出する第２の検出部と、第１の検出部が第１の方向の振れを検出するときに第１の機能を実行させ第２の検出部が第２の方向の振れを検出するときに第１の機能を停止させる制御部とを備えることを特徴としている。
【０００８】
さらに、制御部による第１の機能の実行と停止の切替はトグル動作であることが好ましい。
【０００９】
さらに、第１、第２の検出部により検出された第１、第２の方向の振れが手振れであるか否かを判別する判別部を備え、制御部は判別部が第１、第２の方向の振れが手振れ以外の振れであると判別するときに第１の機能の切替えを行なうことが好ましい。
【００１０】
さらに、第１、第２の検出部はそれぞれ第１、第２の方向の移動速度を検出し、判別部は第１、第２の移動速度が閾値を超えるときに第１、第２の方向の振れが手振れ以外の振れであると判別することが好ましい。
【００１１】
さらに、撮影機能付き携帯機器が有する複数の機能の中から第１の機能が設定可能であることが好ましい。
【００１２】
また、第１の検出部は所定の間隔で連続的に撮像する撮像素子と、撮像素子に撮像される画像全体の中の一部の画像である部分画像の連続する２つの画像間における移動方向と移動距離とを検出する移動距離検出部とを有し、移動方向と移動距離とに基づいて第１の移動速度を検出することが好ましい。
【発明の効果】
【００１３】
本発明によれば、煩雑な操作をすること無く所定の機能の実行と停止とを切替えることが可能である。
【発明を実施するための最良の形態】
【００１４】
以下、本発明の実施形態について図面を参照して説明する。
図１は、本発明の一実施形態を適用した撮影機能付携帯機器であるデジタルカメラの内部構成を概略的に示すブロック図である。なお、図１における上下方向をデジタルカメラの縦方向、図１に垂直な方向をデジタルカメラの横方向とする。
【００１５】
デジタルカメラ１０は、撮影光学系１１、撮像素子１２、モータ駆動回路１３、ＡＦＥ（Ａｎａｌｏｇｕｅ  Ｆｒｏｎｔ  Ｅｎｄ）１４、ＤＳＰ（Ｄｉｇｉｔａｌ  Ｓｉｇｎａｌ  Ｐｒｏｃｅｓｓｏｒ）１５、液晶モニタ１６、外部カードインターフェース１７、操作入力部１８、およびジャイロセンサ１９等によって構成される。
【００１６】
撮影光学系１１は、撮像素子１２に光学的に接続される。撮影光学系１１を透過する被写体の光学像が撮像素子１２の受光面に入射される。撮像素子１２は、例えばＣＣＤである。受光面において被写体の光学像が受光されることにより、光学像に相当する画像信号が生成される。
【００１７】
撮影光学系１１は、ズームレンズ（図示せず）やフォーカスレンズ（図示せず）などの複数のレンズによって構成される。ズームレンズやフォーカスレンズはレンズモータ（図示せず）によって光軸に沿って移動する。レンズモータは、モータ駆動回路１３によって制御される。
【００１８】
撮像素子１２は防振機構２０によって、撮影光学系の光軸に対して垂直な平面に移動自在に支持される。防振機構２０は撮影光学系１１の光軸に垂直な平面上の２方向に撮像素子１２を移動させるための防振モータ（図示せず）を有する。防振モータは、モータ駆動回路１３によって制御される。
【００１９】
ＤＳＰ１５には、ジャイロセンサ１９が接続される。ジャイロセンサ１９によって、光軸に垂直な平面上におけるデジタルカメラ１０の振れ方向および振れ量が検出される。振れのベクトルデータがＤＳＰ１５に送られる。
【００２０】
振れを打ち消すための撮像素子の移動方向と移動量とが、ＤＳＰ１５により算出される。算出されたデータがモータ駆動回路１３に送られる。モータ駆動回路１３は、送られたデータに基づいて防振モータを駆動し、撮像素子１２における振れによる光軸のずれが打ち消される。このような防振機能は、後述する操作により実行と停止とが切替えられる。
【００２１】
撮像素子１２は、ＡＦＥ１４を介してＤＳＰ１５に接続される。ＤＳＰ１５からＡＦＥ１４にクロック信号が出力される。ＡＦＥ１４は、クロック信号に基づいて撮像素子１２を駆動するための駆動信号を生成し、撮像素子１２に送信する。撮像素子駆動信号により撮像素子１２は駆動され、画像信号を生成する。
【００２２】
生成した画像信号はＡＦＥ１４に送信される。画像信号はＡＦＥ１４において相関二重サンプリング、ゲイン調整、及びＡ／Ｄ変換が施され、画像データに変換される。画像データはＤＳＰ１５に送信される。
【００２３】
ＤＳＰ１５には、信号処理の作業用のメモリであるＤＲＡＭ（Ｄｙｎａｍｉｃ  Ｒａｎｄｏｍ  Ａｃｃｅｓｓ  Ｍｅｍｏｒｙ）２１が接続される。ＤＳＰ１５に送信された画像データは、ＤＲＡＭ２１に一時格納される。ＤＳＰ１５により、ＤＲＡＭ２１に格納された画像データに対して所定の信号処理が施される。
【００２４】
ＤＳＰ１５には、液晶モニタ１６が接続される。所定の信号処理が施された画像データは、液晶モニタ１６に送信される。送信された画像データに相当する画像が液晶モニタ１６に表示可能である。
【００２５】
なお、液晶モニタ１６は、液晶部２２とバックライト２３とによって構成される。バックライト２３から液晶部２２の背面全体に照明光が照射される。液晶部２２において送信される画像データに応じて照明光の透過と遮光を制御することにより、画像データに相当する被写体の光学像が液晶モニタ１６に表示される。
【００２６】
バックライト２３の出射光量は、バックライト駆動回路２４によって調整される。通常時に、バックライト２３は第１の光量の光を出射するように駆動される。デジタルカメラ１０には省エネ機能が設けられており、後述のように省エネ機能を実行させると、バックライト２３は第１の光量より低い第２の光量の光を出射するように駆動される。
【００２７】
また、ＤＳＰ１５には、外部カードインターフェース１７が接続される。レリーズ動作を実行するときに、所定の信号処理の施された画像データは外部カードインターフェース１７に接続されるカード型メモリ（図示せず）に格納される。
【００２８】
また、ＤＳＰ１５には、デジタルカメラ１０を操作するためのコマンド入力を行なうための操作入力部１８が接続される。操作入力部１８は、レリーズボタン（図示せず）、多機能十字キー（図示せず）などによって構成される。
【００２９】
デジタルカメラ１０には、静止画または動画を撮影するための撮影モード、撮影した静止画または動画を液晶モニタ１６に表示する再生モード、およびデジタルカメラ１０の動作の設定を行なうための設定モードが設けられる。
【００３０】
撮影モードにおいてレリーズボタンが押されていない状態、すなわち撮影待機中において、１／３０秒毎に撮像素子１２に入射する光学像が撮像される。撮像された画像に基づいて、１／３０秒毎に液晶モニタ１６の画像を更新することによりスルー画像、すなわち、そのときに撮像素子１２に撮像される画像が、動画として表示される。
【００３１】
レリーズボタンを押下することにより１フレームの画像データ、または動画を構成する複数のフレームの画像データがカード型メモリに格納され、撮影が実行される。
【００３２】
撮影待機中に、ジャイロセンサ１９または撮像される画像に基づく演算により、撮影光学系１１の光軸に垂直な平面に沿ったデジタルカメラ１０の移動方向および移動量が検出される。前述の防振機能が実行される状態であるときにはジャイロセンサ１９によって、移動ベクトルが検出される。一方、防振機能が停止中であるときにはジャイロセンサ１９も停止しているので、連続的に撮像される光学像に基づいて、移動ベクトルが算出される。
【００３３】
連続的に撮像される画像データに基づく移動ベクトルの演算について説明する。移動ベクトルの算出のために、撮像素子１２の有効撮像領域の一部の領域における画像に対してＤＳＰ１５によって追尾処理が行われる。すなわち、図２に示すように、追尾開始時に有効撮像領域ＡＡの一部の特定の領域ＳＡにおいて撮像された画像の輪郭ＥＧが、輝度抽出により検出される。
【００３４】
検出された輪郭ＥＧが次のフレームにおいて撮像された画像の何処に移動したかが検出される（図３参照）。このように追尾した被写体の移動ベクトルが、デジタルカメラ１０の移動ベクトルとして検出される。
【００３５】
検出した移動ベクトルにおける縦方向の単位時間当たり移動量、すなわち縦方向の移動速度Ｖｖが閾値Ｖ１を超えるか否かが判別される。また、検出した移動ベクトルにおける横方向の単位時間あたりの移動量、すなわち横方向の移動速度Ｖｈが閾値Ｖ１を超えるか否かが判別される。なお、手振れの速度の上限値と判断できる速度が閾値Ｖ１に定められる。
【００３６】
Ｖｖが閾値Ｖ１を超える場合には手振れ以外の振れであって人為的な縦方向の振れと判別して、前述の防振機能の実行と停止とが切替えられる。またＶｈが閾値Ｖ１を超える場合には手振れ以外の振れであって人為的な横方向の振れと判別して、前述の省エネ機能の実行と停止とが切替えられる。
【００３７】
なお、防振機能および省エネ機能それぞれの実行と停止とは、設定モードにおいて切替えることも可能である。また、設定モードでは、Ｖｖが閾値Ｖ１を超えるときに実行と停止とが切替えられる機能を防振機能以外の所定の機能の中から選択することが可能である。同様に、設定モードでは、Ｖｈが閾値Ｖ１を超えるときに実行と停止とが切替えられる機能を省エネ機能以外の所定の機能の中から選択することも可能である。
【００３８】
次に、ＤＳＰ１５によって行なわれる防振機能および省エネ機能それぞれの実行と停止との切替処理を、図４のフローチャートを用いて説明する。図４は防振機能および省エネ機能それぞれの実行と停止との切替処理を説明するためのフローチャートである。
【００３９】
切替処理は、デジタルカメラ１０の撮影モードが起動するとき、すなわち、デジタルカメラ１０の電源がＯＮになるときまたは撮影モードに切替えられたときに開始される。また、本処理は、デジタルカメラ１０の電源がＯＦＦに切替えられるか、又は他の動作モードに切替えられるまで繰返される。
【００４０】
ステップＳ１００において、ＤＳＰ１５は移動ベクトルデータを受信する。受信した移動ベクトルデータに基づいて、縦方向の移動速度Ｖｖおよび横方向の移動速度Ｖｈを求める。
【００４１】
次にステップＳ１０１に進み、縦方向の移動速度Ｖｖが閾値Ｖ１を超えているか否かを判別する。縦方向の移動速度Ｖｖが閾値Ｖ１を超えているときにはステップＳ１０２に進み、閾値Ｖ１を下回るときにはステップＳ１０６に進む。
【００４２】
ステップＳ１０２では、防振機能がＯＦＦ、すなわち停止中であるか否かを判別する。防振機能が停止中であるときにはステップＳ１０３に進み、防振機能をＯＮ、すなわち防振機能を実行開始する。一方、防振機能がＯＦＦでないときにはステップＳ１０４に進み、防振機能をＯＦＦにする。
【００４３】
ステップＳ１０３またはステップＳ１０４の終了後に、ステップＳ１０５に進む。ステップＳ１０５では、ディレイ処理、次のステップへの進行を例えば２秒間などの所定の時間遅らせる処理を行う。ディレイ処理の後、ステップＳ１００に戻る。なお、ディレイ処理を行うことにより、ＯＮからＯＦＦまたはＯＦＦからＯＮへの切替直後にデジタルカメラ１０の移動が続いているときに、再びＯＦＦからＯＮまたはＯＮからＯＦＦに切替わることが防がれる。
【００４４】
ステップＳ１０１において縦方向の移動速度Ｖｖが閾値Ｖ１を下回るとき、前述のようにステップＳ１０６に進む。ステップＳ１０６では、横方向の移動速度Ｖｈが閾値Ｖ１を超えるか否かが判別される。横方向の移動速度Ｖｈが閾値Ｖ１を超えるときにはステップＳ１０７に進み、閾値Ｖ１を下回るときにはステップＳ１００に戻る。
【００４５】
ステップＳ１０７では、省エネ機能がＯＦＦ、すなわち停止中であるか否かが判別される。省エネ機能が停止中であるときにはステップＳ１０８に進み、省エネ機能をＯＮ、すなわち省エネ機能を実行開始する。一方、省エネ機能がＯＦＦでないときには、ステップＳ１０９に進み、省エネ機能をＯＦＦにする。
【００４６】
ステップＳ１０８またはステップＳ１０９の終了後に、ステップＳ１０５に進む。前述のように、ステップＳ１０５においてディレイ処理を実行後、ステップＳ１００に戻る。
【００４７】
以上のような構成である本実施形態の撮影機能付き携帯機器によれば、本体を所定の方向に動かす、例えば縦に振り動かすことにより、防振機能などの所定の機能の実行と停止とを切替可能である。したがって、使用者が煩雑な操作をすること無しに、所定の機能のＯＮ／ＯＦＦの切替が可能である。
【００４８】
また、本実施形態において、縦方向または横方向の人為的な振動による移動により所定の機能のＯＮ／ＯＦＦの切替を行う構成であるが、例えば円運動などのように２方向の組合わせによりデジタルカメラ１０の移動に応じて所定の機能のＯＮ／ＯＦＦが切替えられてもよい。すなわち、縦方向および横方向の移動速度の組合わせによりＯＮ／ＯＦＦの切替を行なってもよい。
【００４９】
また、本実施形態において、防振機能および省エネ機能のＯＮ／ＯＦＦの切替はトグル動作であるが、例えば縦方向をＯＮ、横方向をＯＦＦのスイッチとして機能の実行と停止との切替を行なってもよい。
【００５０】
また、本実施形態において、デジタルカメラ１０の移動を連続的に撮像する画像およびジャイロセンサにより検出する構成であるが、いずれか一方の手段により行なってもよい。
【００５１】
また、本実施形態において液晶モニタ１６にスルー画像を表示する構成であるが、液晶モニタ以外の表示手段を適用することが可能である。表示する画像全体の明るさを調整可能であれば、本実施形態と同様の効果を得ることが可能である。
【図面の簡単な説明】
【００５２】
【図１】本発明の一実施形態を適用した撮影機能付き携帯機器であるデジタルカメラの内部構成を概略的に示すブロック図である。
【図２】追尾処理を行うために有効撮像領域内における特定の領域の位置を示す図である。
【図３】追尾処理の説明のための図である。
【図４】切替処理を説明するためのフローチャートである。
【符号の説明】
【００５３】
１０  デジタルカメラ
１２  撮像素子
１３  モータ駆動回路
１５  ＤＳＰ（Ｄｉｇｉｔａｌ  Ｓｉｇｎａｌ  Ｐｒｏｃｅｓｓｏｒ）
１９  ジャイロセンサ
２０  防振機構
２３  バックライト
２４  バックライト駆動回路
ＡＡ  有効撮像領域
ＳＡ  特定の領域
【図１】
2009063721.tif 000003
【図２】
2009063721.tif 000004
【図３】
2009063721.tif 000005
【図４】
2009063721.tif 000006